(57)【特許請求の範囲】
【請求項１】
洋風便器本体と、洗浄水により該洋風便器本体を洗浄可能な便器洗浄装置とを備え、該便器洗浄装置は電気的に開閉されて洗浄水を吐出可能な開閉弁を有する洋風水洗式便器において、
前記便器洗浄装置は、前記開閉弁の異常状態を検知する検知手段と、該検知手段の異常信号により、前記洋風便器本体の少なくとも封水処理を行った後、該開閉弁を閉状態にする復帰手段とを有することを特徴とする洋風水洗式便器。
【請求項２】
復帰手段は、洋風便器本体の通常の洗浄処理を行った後、開閉弁を閉状態にすることを特徴とする請求項１記載の洋風水洗式便器。
【請求項３】
洋風便器本体と、洗浄水により該洋風便器本体を洗浄可能な便器洗浄装置とを備え、該便器洗浄装置は電気的に開閉されて洗浄水を吐出可能な開閉弁を有する洋風水洗式便器において、
前記便器洗浄装置は、前記開閉弁の異常状態を検知する検知手段と、該検知手段の異常信号により該開閉弁を閉状態にする復帰手段とを有し、該復帰手段は、該開閉弁を閉状態である原点へ復帰させた後に通常の洗浄処理を行うリトライが一定回数を超えれば、該開閉弁を閉状態で停止させることを特徴とする洋風水洗式便器。
【請求項４】
便器洗浄装置は、検知手段の異常信号により、異常状態を告知する告知手段を有することを特徴とする請求項１乃至３のいずれか１項記載の洋風水洗式便器。
【請求項５】
開閉弁はステッピングモータにより駆動され、検知手段は該ステッピングモータの回転角に相当するパルス数により該開閉弁の状態を検知することを特徴とする請求項１乃至４のいずれか１項記載の洋風水洗式便器。
【発明の詳細な説明】
【０００１】
【発明が属する技術分野】
本発明は洋風水洗式便器に関する。
【０００２】
【従来の技術】
従来から、陶磁器製の洋風便器本体と、洗浄水によりこの洋風便器本体を洗浄可能な便器洗浄装置とを備えた洋風水洗式便器が知られている。さらに近年では、便器洗浄装置として、電気的に開閉されて洗浄水を吐出可能な開閉弁を有するものが開発されつつある。
【０００３】
かかる開閉弁を便器洗浄装置に有する洋風水洗式便器では、使用者がリモコンのスイッチを操作することによって開閉弁が一連の開閉動作を行い、これにより洗浄水が洋風便器本体に吐出され、洗浄がなされる。
【０００４】
【発明が解決しようとする課題】
しかし、上記従来の洋風水洗式便器では、いたずらや便器洗浄装置の故障により、開閉弁が異常状態となることがある。この異常状態が放置されれば、洗浄水が流れたままとなり、洗浄水の無駄な消費となる。
【０００５】
本発明は、上記実情に鑑みてなされたものであり、洗浄水を無駄に消費しない洋風水洗式便器を提供することを解決すべき課題としている。
【０００６】
【課題を解決するための手段】
本発明の洋風水洗式便器は、洋風便器本体と、洗浄水により該洋風便器本体を洗浄可能な便器洗浄装置とを備え、該便器洗浄装置は電気的に開閉されて洗浄水を吐出可能な開閉弁を有する洋風水洗式便器において、
【０００７】
前記便器洗浄装置は、前記開閉弁の異常状態を検知する検知手段と、該検知手段の異常信号により、前記洋風便器本体の少なくとも封水処理を行った後、該開閉弁を閉状態にする復帰手段とを有することを特徴とする。
【０００８】
本発明の洋風水洗式便器では、例え開閉弁が異常状態となっても、検知手段によって異常信号が発せられ、復帰手段によって開閉弁は自動的に閉状態とされる。
【０００９】
したがって、この洋風水洗式便器では、自動的に給水が停止され、洗浄水を無駄に消費しない。
【００１０】
本発明の洋風水洗式便器では、便器洗浄装置は、検知手段の異常信号により、異常状態を告知する告知手段を有することが望ましい。こうであれば、使用者は便器洗浄装置に何らかの異常があったことを知ることができ、迅速にその対応策をとることが可能となるからである。
【００１１】
検知手段としては、位置センサ、流量センサ、水圧センサ等を採用することができる。また、告知手段としては、例えば電子音を発生させる装置や発光ダイオードを点滅させる装置等を採用することができる。
【００１２】
また、本発明の洋風水洗式便器では、復帰手段は、洋風便器本体の少なくとも封水処理を行った後、開閉弁を閉状態にする。こうであれば、例え開閉弁が異常状態となっても、トラップ内が封水処理されることとなり、排水管を通じて異臭が立ちのぼることを防止できる。
【００１３】
この場合において、復帰手段は、洋風便器本体の通常の洗浄処理を行った後、開閉弁を閉状態にすることもできる。こうであれば、例え開閉弁が異常状態となっても、洋風便器本体の通常の洗浄処理が少なくとも１回なされることとなり、確実に洋風便器本体の洗浄が行われる。このため、汚物が残留することはなく、不快な臭いの発生を防止できるとともに、衛生的ともなる。
【００１４】
また、本発明の洋風水洗式便器は、洋風便器本体と、洗浄水により該洋風便器本体を洗浄可能な便器洗浄装置とを備え、該便器洗浄装置は電気的に開閉されて洗浄水を吐出可能な開閉弁を有する洋風水洗式便器において、前記便器洗浄装置は、前記開閉弁の異常状態を検知する検知手段と、該検知手段の異常信号により該開閉弁を閉状態にする復帰手段とを有し、該復帰手段は、該開閉弁を閉状態である原点へ復帰させた後に通常の洗浄処理を行うリトライが一定回数を超えれば、該開閉弁を閉状態で停止させることを特徴とする。こうであれば、開閉弁の異常状態によって、洋風便器本体の通常の洗浄処理を行うことが不能である場合でも、リトライを無限に繰り返すことはなく、最終的に洗浄水が流れたままとなることもない。このため、無駄なエネルギーの消費を防ぐとともに、無駄な洗浄水の消費も防ぐこともできる。
【００１５】
開閉弁としては、ステッピングモータにより駆動されるものを採用し得る。こうであれば、検知手段は、このステッピングモータの回転角に相当するパルス数により開閉弁の状態を検知することができる。これにより、パルス信号を用いて開閉弁の制御を容易に行うことができるとともに、開閉弁が現在どの状態にあるのかを容易に検知することが可能となる。
【００１６】
【発明の実施の形態】
以下、本発明を具体化した実施形態を図面を参照しつつ説明する。
【００１７】
実施形態の洋風水洗式便器の模式図を図１に示す。この洋風水洗式便器は、給水タンクが存在しないタンクレス方式を採用しており、洋風便器本体１と便器洗浄装置２と図示しない暖房便座と図示しない便蓋とを有する。
【００１８】
洋風便器本体１は陶磁器製ものである。便器洗浄装置２は、水道管３に止水栓４を介してフレキシブルホース５により直結されており、洗浄水ａ及び洗浄水ｂを吐出することにより洋風便器本体１を洗浄可能としている。
【００１９】
便器洗浄装置２の内部には、図２に示すように、リム用開閉弁６ａとジェット用開閉弁６ｂとが備えられており、リム用開閉弁６ａ及びジェット用開閉弁６ｂの上方にカム装置６ｃが設けられ、カム装置６ｃの側方にステッピングモータ６ｄが設けられている。カム装置６ｃはステッピングモータ６ｄにより駆動されるようになっており、カム装置６ｃが駆動されることによりリム用開閉弁６ａ及びジェット用開閉弁６ｂが開閉される。
【００２０】
ステッピングモータ６ｄにはコントローラ７が電気的に接続されており、コントローラ７はリモコン８によって操作可能とされている。コントローラ７は、図３に示すように、ステッピングモータ６ｄと接続されたモータ駆動回路７ａ及び位置センサ７ｂと、モータ駆動回路７ａに接続され、パルス信号を発するパルス発振回路７ｃと、位置センサ７ｂと接続され、リム用開閉弁６ａ及びジェット用開閉弁６ｂの異常状態を復帰させるための復帰回路７ｄとを有している。ここで、位置センサ７ｂは、ステッピングモータ６ｄに伝えられたパルス信号からリム用開閉弁６ａ及びジェット用開閉弁６ｂの開閉状態を検知する。復帰回路７ｄは洋風水洗式便器に設けられた告知手段としての警告装置９に接続されている。
【００２１】
以上のように構成された洋風水洗式便器では、コントローラ７が復帰回路７ｄ及び図示しない記憶手段により、図４及び図５に示すフローチャートに従って洗浄処理を行う。
【００２２】
使用者がリモコン８の洗浄開始ボタンを押した場合、まず、図４に示すフローチャートに従って通常の洗浄処理がなされる。すなわち、ステップＳ１０２において、リム用開閉弁６ａ及びジェット用開閉弁６ｂがともに閉状態にあるか否かについて判断がなされる。この際、ステッピングモータ６ｄに伝えられるパルス数の基準を定める必要性から、リム用開閉弁６ａ及びジェット用開閉弁６ｂがともに閉状態であれば「原点」であるとする。
【００２３】
ここで、「原点」であれば、ステップＳ１０４に進む。これにより、ステッピングモータ６ｄが一定角度回転して停止し、リム用開閉弁６ａが開放される。このため、一定時間、洗浄水ａが吐出され、汚物がトラップに集合する。
【００２４】
次に、ステップＳ１０６に進み、リム用開閉弁６ａが開状態にあり、ジェット用開閉弁６ｂが閉状態にあるか否かを判断する。ここでＹＥＳであれば、ステップＳ１０８に進む。これにより、ステッピングモータ６ｄが一定角度回転して停止し、リム用開閉弁６ａが閉鎖されるとともに、ジェット用開閉弁６ｂが開放される。このため、洗浄水ａは停止され、一定時間、洗浄水ｂが吐出されて強制的にサイホン効果を生じ、汚物が排出される。
【００２５】
そして、ステップＳ１１０に進み、リム用開閉弁６ａが閉状態にあり、ジェット用開閉弁６ｂが開状態にあるか否かを判断する。ここでＹＥＳであれば、ステップＳ１１２に進む。これにより、ステッピングモータ６ｄが一定角度回転して停止し、ジェット用開閉弁６ｂが閉鎖されるとともに、リム用開閉弁６ａが開放される。このため、洗浄水ｂは停止され、一定時間、洗浄水ａが吐出され、トラップの封水処理が行われる。
【００２６】
次に、ステップＳ１１４に進み、リム用開閉弁６ａが開状態にあり、ジェット用開閉弁６ｂが閉状態にあるか否かを判断する。ここでＹＥＳであれば、ステップＳ１１６に進む。これにより、ステッピングモータ６ｄが一定角度回転して停止し、ステップＳ１１８に進む。これにより、リム用開閉弁６ａ及び、ジェット用開閉弁６ｂがともに閉状態にあるか否かを判断する。ここでＹＥＳであれば、そのまま待機の状態となり、洗浄処理が終了する。
【００２７】
一方、ステップＳ１０２、ステップＳ１０６、ステップＳ１１０、ステップＳ１１４及びステップＳ１１８において、ＮＯであれば、異常状態であり、図５に示すフローチャートに従って異常処理される。
【００２８】
すなわち、まずステップＳ２０２において、異常状態であることを告知する電子音が警告装置９により発生させられるとともに、「原点」への復帰処理がなされる。この後、ステップＳ２０４に進み、「原点」に正常に復帰したか否かが判断される。ここで、ＹＥＳであれば、ステップＳ２０６に進み、リトライが何回繰り返されたか判断される。リトライ数がｎ回未満であれば、ＮＯとなり、ステップＳ２０８でリトライ中であることを警告装置９により表示する。この後、図４に示すステップＳ１０２へ戻り、通常の洗浄処理がなされる。復帰回路７ｄ及び記憶装置内のステップＳ２０２、ステップＳ２０４、ステップＳ２０６及びステップＳ２０８が復帰手段である。
【００２９】
一方、ステップＳ２０６において、リトライ数がｎ回以上と判断された場合は、ＹＥＳとなり、ステップＳ２１０へ進む。このことにより、リトライが無限に繰り返され、エネルギーが無駄に消費されることを防ぐことができる。
【００３０】
そして、ステップＳ２１０において、リトライ数がｎ回以上と判断された回数が何回であるか判断される。その回数がｉ回以下であれば、ＹＥＳとなり、そのまま待機状態とされる。また、リトライ数がｎ回以上と判断された回数がｉ回より多ければ、ＮＯとなり、ステップＳ２１２へ進み、「洗浄禁止」の表示が警告装置９によりなされた後、待機状態となる。このことにより、使用者に故障中である旨を伝えることができる。
【００３１】
また、ステップＳ２０４において、「原点」に正常に復帰しなかったと判断された場合は、ＮＯとなり、ステップＳ２１４へ進む。ここで、「原点」への復帰処理が正常になされなかった回数が比較される。この回数がｍ回未満の場合は、ＮＯとなり、ステップＳ２０２へ戻る。一方、この回数がｍ回以上の場合は、ＹＥＳとなり、ステップＳ２１６へ進み、「洗浄禁止」の表示が警告装置９によりなされる。この後、ステップＳ２１８へ進み、「強制止水」の表示が警告装置９によりなされた後、待機状態とされる。このことにより、「原点」への復帰処理が無限に繰り返され、エネルギーが無駄に消費されることを防ぐことができる。
【００３２】
以上のように、本実施形態の洋風水洗式便器では、例えリム用開閉弁６ａ又はジェット用開閉弁６ｂが異常状態となっても、位置センサ７ｂによってそのことが検知され、復帰回路７ｄ等によってリム用開閉弁６ａ及びジェット用開閉弁６ｂは自動的に閉状態に復帰されることとなる。
【００３３】
したがって、この洋風水洗式便器では、自動的に給水が停止され、洗浄水を無駄に消費しない。
【００３４】
また、復帰回路７ｄ等において、洋風便器本体１の封水処理が行われるため、例えリム用開閉弁６ａ又はジェット用開閉弁６ｂが異常状態となっても、排水管を通じて異臭が立ちのぼることを防止できる。
【００３５】
さらに、復帰回路７ｄ等は、洋風便器本体１の通常の洗浄処理を行った後、リム用開閉弁６ａ又はジェット用開閉弁６ｂを閉状態にするため、例えリム用開閉弁６ａ又はジェット用開閉弁６ｂが異常状態となっても、洋風便器本体１の通常の洗浄処理が少なくとも１回なされることとなり、ほぼ確実に洋風便器本体１の洗浄が行われる。このため、汚物が残留することはなく、不快な臭いの発生を防止できるとともに、衛生的ともなる。
【００３６】
また、復帰回路７ｄ等は、一定回数のリトライを超えれば、リム用開閉弁６ａ又はジェット用開閉弁６ｂを閉状態で停止させるため、リトライを無限に繰り返すことはなく、最終的に洗浄水が流れたままとなることもない。このため、無駄なエネルギーの消費を防ぐとともに、無駄な洗浄水の消費も防ぐこともできる。
【図面の簡単な説明】
【図１】実施形態の洋風水洗式便器の模式図である。
【図２】実施形態の洋風水洗式便器に係り、便器洗浄装置等の模式図である。
【図３】実施形態の洋風水洗式便器に係り、コントローラ等のブロック構成図である。
【図４】実施形態の洋風水洗式便器に係り、コントローラが行う通常の洗浄処理のためのフローチャートである。
【図５】実施形態の洋風水洗式便器に係り、コントローラが行う異常処理のためのフローチャートである。
【符号の説明】
１…洋風便器本体
２…便器洗浄装置
６ａ…開閉弁（リム用開閉弁）
６ｂ…開閉弁（ジェット用開閉弁）
７ｂ…検知手段（位置センサ）
７…復帰手段（コントローラ（７ｄ…復帰回路））
９…告知手段（警告装置）
６ｄ…ステッピングモータ
【図１】
0003764035.tif 000002
【図２】
0003764035.tif 000003
【図３】
0003764035.tif 000004
【図４】
0003764035.tif 000005
【図５】
0003764035.tif 000006